(57)【要約】【課題】ストリームの伝送帯域を狭くすることなく、著作権を管理することのできるデジタルストリーミング放送システムおよび著作権管理方法を実現することを目的とする。【解決手段】インターネットのブラウザ上にデジタルストリーミングコンテンツを公開するサーバー１０１は、コンテンツ毎にコンテンツに関する著作権情報を含む付加情報を有し、端末１０２が、ブラウザ上のコンテンツを選択した時に、インターネット上のプロトコルにより、端末１０２が受信したコンテンツを再生する前にコンテンツの著作権情報を端末１０２に送信し、端末１０２が前記著作権情報に基づき所定のコピープロテクト信号を付加する。【選択図】  図１
2004287937.tif 000002
【特許請求の範囲】
【請求項１】
インターネットのブラウザ上に公開されたデジタルストリーミングコンテンツを有するサーバーと、前記コンテンツを受信し再生することが出来る端末とからなるデジタルストリーミング放送システムにおいて、
前記サーバーは、コンテンツ毎にコンテンツに関する著作権情報を含む付加情報を有し、
前記端末は、ブラウザ上のコンテンツを選択した時に、インターネット上のプロトコルにより当該コンテンツの有する前記付加情報を入手し、コンテンツ再生前に前記著作権情報を得、当該コンテンツデータを再生する場合に、再生前に得た前記著作権情報に基づき所定のコピープロテクト信号を付加することを特徴とするデジタルストリーミング放送システム。
【請求項２】
付加情報の取得はｈｔｔｐプロトコルにて行う事を特徴とする請求項１記載のデジタルストリーミング放送システム。
【請求項３】
付加情報の取得はｒｔｓｐプロトコルにて行う事を特徴とする請求項１記載のデジタルストリーミング放送システム。
【請求項４】
コンテンツデータの配信はｒｔｐプロトコルにて行う事を特徴とする請求項１記載のデジタルストリーミング放送システム。
【請求項５】
サーバーによりインターネットのブラウザ上にデジタルストリーミングコンテンツが公開され、前記コンテンツを受信再生する端末が、ブラウザ上の前記コンテンツを選択した時に、当該コンテンツの有する著作権情報を含む付加情報をインターネット上のプロトコルにより前記サーバーから入手し、前記コンテンツ再生前に前記著作権情報に基づき所定のコピープロテクト信号を付加することを特徴とする著作権管理方法。
【発明の詳細な説明】
【０００１】
【発明の属する技術分野】
本発明は、映像・音声コンテンツをインターネット上にデジタルストリーミング放送するデジタルストリーミング放送システムに関し、詳しくはコンテンツの著作権を管理することのできるデジタルストリーミング放送システムおよび著作権管理方法に関するものである。
【０００２】
【従来の技術】
従来、衛星を用いたデジタルストリーミング放送システムにおいては、多くのコンテンツが公開されており、ユーザーはセットトップボックスなどの端末を用いてこれらのコンテンツを選択し、受信し再生する。これらのコンテンツは著作権を有しており、ユーザーが勝手にコピーすることのないよう著作権の管理が行われている（例えば、特許文献１参照）。
【０００３】
従来のデジタルストリーミング放送システムにおける著作権管理方法を図５および図６を用いて説明する。
【０００４】
図５は、従来のデジタルストリーミング放送システムを示す概念図、図６はコンテンツのデータ構成図である。図５において、５０１は放送局、５０２は送信アンテナ、５０３は衛星、５０４は受信アンテナ、５０５は端末（セットトップボックス：ＳＴＢ）である。
【０００５】
本システムは、衛星を用いたデジタル放送で行なわれている方法である。放送局５０１は複数のチャンネル情報と複数のチャンネルの映像・音声の情報を含む放送を送信アンテナ５０２を用いて、衛星５０３に送信する。衛星５０３は放送局５０１から送信された放送を所定の領域（例えば日本）に向けて放送する。受信アンテナ５０４は、衛星５０３からの放送を受信する。端末５０５は受信アンテナ５０４からのデータを解析し、所定の処理を行ない、放送を受信する。
【０００６】
ここで、この放送システムで放送されるデータについて、図６を用いて説明する。この放送システムでは、放送局が送信する放送には、複数のチャンネルが含まれている。図６は、ＭＰＥＧ−２のＴｒａｎｓｐｏｒｔ  Ｓｔｒｅａｍ（ＴＳ）を仮定しており、図中の枠は、ＴＳでＴＳ  Ｐａｃｋｅｔと呼ばれているものである。チャンネルテーブルは、ＭＰＥＧ−２規格において、ＰＭＴ（Ｐｒｏｇｒａｍ  Ｍａｐ  Ｔａｂｌｅ）と呼ばれているものであり、当該ストリームに含まれる全てのチャンネルのＩＤなどの情報をテーブル化して有している。ユーザー情報のパケットは、各チャンネルにおいてユーザーに知らせるべき情報を有している。ビデオパケットは、映像信号を圧縮したデータを有しており、オーディオパケットは、音声信号を圧縮したデータを有している。
【０００７】
放送局５０１は、１つのチャンネルの映像信号・音声信号を所定の圧縮を行なって、それぞれビデオパケット・オーディオパケットに変換すると共に、当該チャンネル（映像信号・音声信号）に関する著作権情報や番組名や放送時間などの付加情報などのユーザー情報もユーザー情報パケットに変換する。そして、複数チャンネルのデータとチャンネルテーブルのパケット（ＰＭＴ）をまとめたストリームである図６で示したデータを生成し、それを放送する。
【０００８】
図６で示したデータを受信した端末において、視聴者がチャンネル１を選択した場合、端末５０５はＰＭＴのコードを解析し、チャンネル１のユーザー情報・ビデオパケット・オーディオパケットのＩＤを認識し、ストリーム中から必要なパケットのみを取り出す。端末５０５は、ビデオパケットとオーディオパケットに対して所定の復号化を行ない映像信号と音声信号を再生する。また、ストリームには、ユーザー情報中の１つの情報として、著作権の情報が含まれており、端末５０５は、映像信号再生時に、当該著作権情報を判別し、必要な場合は所定のコピープロテクト信号を再生映像信号に付加して出力する。
【０００９】
【特許文献１】
特開２００２−１１２２０８号公報
【００１０】
【発明が解決しようとする課題】
しかしながら、上記従来の放送システムにおける著作権管理方法では、ストリーム中の一定間隔毎にユーザー情報を埋め込む必要があり、ユーザー情報が伝送帯域を狭くしていた。また、ユーザー情報を得るまでは端末は著作権情報を知り得ないため、それまでに取得したビデオ情報とオーディオ情報は再生しないまま破棄するか、誤ったコピープロテクト信号の状態で再生するしかなかった。
【００１１】
また、ユーザー情報のみ別途インターネット（ＩＰネットワーク）から入手する方法もあるが、この場合、端末は衛星放送とインターネットの２つのネットワークに接続しなければならないといった負荷がかかっていた。
【００１２】
近年、インターネットの帯域の増加が急速に進み、インターネットのみを使ってビデオ情報とオーディオ情報およびユーザー情報を伝送するデジタルストリーミング放送が実現されてきている。しかしながら、従来の著作権管理方法は、インターネットでのデジタルストリーミング放送においては、インターネットプロトコルの限られた帯域にユーザーが使用するか否かわからないユーザー情報を埋め込むことは無駄になるため使用できない。かつ、伝送帯域を狭くするという課題も有していた。
【００１３】
本発明は、デジタルストリーミング放送システムに関し、ストリームの伝送帯域を狭くすることなく、著作権を管理することのできるデジタルストリーミング放送システムおよび著作権管理方法を実現することを目的とする。
【００１４】
【課題を解決するための手段】
上記課題を解決するために、本発明のデジタルストリーミング放送システムは、インターネットのブラウザ上に公開されたデジタルストリーミングコンテンツを有するサーバーと、前記コンテンツを受信再生することが出来る端末とからなるデジタルストリーミング放送システムにおいて、前記サーバーは、コンテンツ毎にコンテンツに関する著作権情報を含む付加情報を有し、前記端末は、ブラウザ上のコンテンツを選択した時に、インターネット上のプロトコルにより当該コンテンツの有する前記付加情報を入手し、コンテンツ再生前に前記著作権情報を得、当該コンテンツデータを再生する場合に、再生前に得た前記著作権情報に基づき所定のコピープロテクト信号を付加するものである。
【００１５】
【発明の実施の形態】
以下に、本発明のデジタルストリーミング放送システムにおける著作権管理方法を図１を用いて説明する。
【００１６】
（実施の形態１）
図１は、本発明の一実施の形態のデジタルストリーミング放送システムを示すブロック図である。図１において、１０１は複数のデジタルストリーミングコンテンツを有するサーバー、１０２はコンテンツを受信再生する端末である。
【００１７】
サーバー１０１は、コンテンツもしくはコンテンツの付加情報（メタファイル）をインターネット上にブラウザとして公開する機能を有するか、もしくは、他のサーバーがインターネット上にブラウザとして公開したアンカーからコンテンツもしくはコンテンツの付加情報にリンクが張れる機能を有している。また、サーバー１０１は、コンテンツ毎にコンテンツに関する付加情報を有している。
【００１８】
ここで、コンテンツの付加情報の一例を図２を用いて示す。サーバー１０１が端末１０２に対して、付加情報を提示する場合には、コンテンツのアドレスは別にあるので、図２の１行目に示したように、コンテンツのアドレスをそのスキームを含めて明示している。図２においてＸＸＸがスキームを示し、ｙｙｙ．ｚｚｚがインターネットアドレスとコンテンツを示している。また、コンテンツが認証情報を有する場合には、その認証を取るためのライセンス情報を有する場合もある。著作権に関しても、当該コンテンツがコピー禁止であるとか、一度だけコピー可能などの情報や、そのコピープロテクトを如何に行なうかを示す情報も有している。たとえばマクロビジョン信号を用いるとか、ＣＧＭＳ信号を用いるなど。このような場合でも、著作権情報を含まない場合は、一般的には当該コンテンツが著作権においてフリーである事を示す。また、１つの付加情報内にコンテンツのアドレスは１つである必要はなく、複数あってもよい。
【００１９】
端末１０２は、ブラウザ上のコンテンツを選択した時に、インターネット上のプロトコルにより当該コンテンツの有する著作権情報を含む付加情報をサーバー１０１から入手する。端末１０２は入手した付加情報を解析し、その結果としてコンテンツ再生前に必要な設定を行ない、コンテンツの配信をサーバー１０１に要求する。
【００２０】
例として、図２内のコンテンツ情報に示されたスキームがｒｔｓｐ（ＲｅａｌＴｉｍｅ  Ｓｔｒｅａｍｉｎｇ  Ｐｒｏｔｏｃｏｌ）であった場合を、図３の処理の流れを示す図を用いて説明する。端末１０２はサーバー１０１に対してインターネットプロトコル（ＩＰ）上にコネクションをはる。このコネクションを通じてｒｔｓｐの規格で決められた通信を行なう。その中で、端末１０２からサーバー１０１に“ＤＥＳＣＲＩＢＥ”メソッドを通信することにより、端末１０２はコンテンツの詳細情報をＳＤＰ（Ｓｅｓｓｉｏｎ  ＤｅｓｃｒｉｐｔｉｏｎＰｒｏｔｏｃｏｌ）により入手する。なお、上記付加情報内に著作権情報がなく、当該ＳＤＰ内に著作権情報が示されている場合もある。そして、端末１０２がｒｔｓｐによる通信で、コンテンツ再生の事前準備を行なった後に、サーバー１０１に対して“ＳＥＴＵＰ”メソッドで今回の通信のセッションＩＤを入手する。サーバー１０１に対して“ＰＬＡＹ”メソッドで配信を要求する事によりサーバー１０１はコンテンツの配信を始める。例として、サーバー１０１はｒｔｐ（Ｒｅａｌ＿ｔｉｍｅ  Ｔｒａｎｓｐｏｒｔ  Ｐｒｏｔｏｃｏｌ）を用いてコンテンツを配信するとする。
【００２１】
図４を用いて、プロトコル上のデータの関係を示す。端末１０２とサーバー１０１はインターネットプロトコル（ＩＰ）で結ばれている。このインターネットプロトコル上で、端末１０２とサーバー１０１は制御情報を、ｒｔｓｐを用いて通信し、サーバー１０１は端末１０２へビデオ情報とオーディオ情報を含むコンテンツデータはｒｔｐを用いて送信する。
【００２２】
サーバー１０１から配信されたコンテンツデータを受信した端末１０２は、前記コンテンツデータを再生し、かつ、再生前に得た前記著作権情報に基づき所定のコピープロテクト信号を付加する。
【００２３】
以上により、本実施の形態のデジタルストリーミング放送システムはインターネットプロトコルだけで繋がれたサーバーと端末において、放送（コンテンツの配信）を行なえ、コンテンツ毎に決められた著作権情報により、情報に応じたコピープロテクト信号を端末で付加することができ、かつ、コンテンツの再生前に事前に著作権情報をサーバーから端末に送信することにより、コンテンツ送信中に著作権情報を送信する必要はなく帯域を狭くする事もない。
【００２４】
なお、本実施の形態の説明では、制御系の通信をｒｔｓｐ、コンテンツデータの配信をｒｔｐとしたが、インターネットプロトコル上にのるプロトコルであればなんでもよい。
【００２５】
【発明の効果】
本発明のデジタルストリーミング放送システムおよび著作権管理方法は、サーバーがインターネット上のプロトコルによりコンテンツの付加情報を再生前に端末に送信することができ、端末が付加情報に基づき所定のコピープロテクト信号を付加する機能を有することにより、インターネットプロトコルだけで繋がれたサーバーと端末において、放送が行なえ、付加情報に応じたコピープロテクト信号を端末で付加することができ、かつ、再生前に事前に著作権情報をサーバーから端末に送信することにより、コンテンツ送信中に著作権情報を送信することなく帯域を狭くする事もないという有利な効果が得られる。
【図面の簡単な説明】
【図１】本発明の一実施の形態のデジタルストリーミング放送システムのブロック図
【図２】本発明のデジタルストリーミング放送システムにおけるコンテンツの付加情報の一例を示す図
【図３】本発明のデジタルストリーミング放送システムにおける処理の流れを示す図
【図４】本発明のデジタルストリーミング放送システムにおけるインターネットプロトコル上のデータ関係図
【図５】従来のデジタル放送システムの概念図
【図６】従来のデジタル放送システムにおけるコンテンツのデータ構成図
【符号の説明】
１０１  サーバー
１０２  端末
【図１】
2004287937.tif 000003
【図２】
2004287937.tif 000004
【図３】
2004287937.tif 000005
【図４】
2004287937.tif 000006
【図５】
2004287937.tif 000007
【図６】
2004287937.tif 000008